(57)【要約】      （修正有）【課題】簡単に設置することができるとともに、低コストで処理水の全窒素や全リンの増加を防止し、生物酵素要求量や科学的酵素要求量の低減を図ることができる水質改善装置を提供する。【解決手段】水中や海水中に位置させることができる籾殻くん炭が網袋に収納された籾殻くん炭収納体と、この籾殻くん炭収納体のほぼ中央部を貫通するように取付けられたエアパイプの先端部より吹き出されるエアが、該籾殻くん炭収納体に当るように供給することができるエア供給装置とで水質改善装置を構成している。【選択図】図１
0003143933.tif 000002
【実用新案登録請求の範囲】
【請求項１】
水中や海水中に位置させることができる籾殻くん炭が網袋に収納された籾殻くん炭収納体と、この籾殻くん炭収納体のほぼ中央部を貫通するように取付けられたエアパイプの先端部より吹き出されるエアが気泡となって上昇し、該籾殻くん炭収納体に当るように供給することができるエア供給装置とからなることを特徴とする水質改善装置。
【請求項２】
籾殻くん炭収納体は筒状の細長い網袋に籾殻くん炭を収納し、渦巻状に巻き付けられたものが使用され、中央部に設けられるエア供給装置のエアパイプを上下移動調整できるように取付けられていることを特徴とする請求項１記載の水質改善装置。
【考案の詳細な説明】
【技術分野】
【０００１】
本考案は淡水、海水の限られた水域の水質を改善する水質改善装置に関する。
【背景技術】
【０００２】
従来の水質改善装置としては汚濁した原水に凝集剤と気泡とを放出し、原水と凝集剤とにより生じた凝集フロックに気泡を吸着させて浮上させて、水性植物と礫又は／および木炭とからなる濾床とに注ぎ、凝集フロックを水性植物と濾床とで分解させていた。
【０００３】
このため、逆漏斗状の誘導部材、この誘導部材の上部を覆うように取付けられた複数個の水生植物が植えられた植生床を必要とし、大型化し、設置作業が大変で、コスト高になるという欠点があった。
【特許文献１】特開平９−２０６７８８
【考案の開示】
【考案が解決しようとする課題】
【０００４】
本考案は以上のような従来の欠点に鑑み、簡単に設置することができるとともに、低コストで処理水の全窒素や全リンの増加を防止し、生物酵素要求量や科学的酵素要求量の低減を図ることができる水質改善装置を提供することを目的としている。
【０００５】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００６】
上記目的を達成するために、本考案は水中や海水中に位置させることができる籾殻くん炭が網袋に収納された籾殻くん炭収納体と、この籾殻くん炭収納体のほぼ中央部を貫通するように取付けられたエアパイプの先端部より吹き出されるエアが気泡となって上昇し、該籾殻くん炭収納体に当るように供給することができるエア供給装置とで水質改善装置を構成している。
【考案の効果】
【０００７】
以上の説明から明らかなように、本考案にあっては次に列挙する効果が得られる。
【０００８】
（１）水中や海水中に位置させることができる籾殻くん炭が網袋に収納された籾殻くん炭収納体と、この籾殻くん炭収納体のほぼ中央部を貫通するように取付けられたエアパイプの先端部より吹き出されるエアが気泡となって上昇し、該籾殻くん炭収納体に当るように供給することができるエア供給装置とで構成されているので、エア供給装置のエアパイプが取付けられた籾殻くん炭収納体を、水質を改善したい水域に投入し、エア供給装置でエアを供給するだけでよいので、容易に設置することができるとともに、供給するエアによって水質を改善することができる。
【０００９】
（２）前記（１）によって、供給されたエアは籾殻くん炭収納体および内部の籾殻くん炭に付着し、水中に生息する微生物、小動物の住処にできるとともに、有機物、無機物の付着を促すことができる。
すなわち、籾殻くん炭は活性炭と異なり、複雑な凹凸と同時にたくさんの突起を有しており、この形状により付着物が付きやすいのである。
【００１０】
（３）前記（１）により、全窒素、全リンの増加を防止することができるとともに、生物酵素要求量や科学的酵素要求量の低減を図ることができる。
【００１１】
（４）前記（１） によって、構造が簡単であるので、安価に設置することができるとともに、限られた水域の水質改善には最適に使用することができる。
【００１２】
（５）請求項２は前記（１）〜（４）と同様な効果が得られるとともに、籾殻くん炭収納体の大きさを容易に設定することができ、かつ、設置する処理水中や籾殻くん炭収納体へのエアの供給をエアパイプの上下移動で最適に行なうことができる。
【考案を実施するための最良の形態】
【００１３】
以下、図面に示す本考案を実施するための最良の形態により、本考案を詳細に説明する。
【００１４】
図１ないし図４に示す本考案を実施するための最良の第１の形態において、１は水中や海水中に位置させて該部位の水質を改善する本考案の水質改善装置で、この水質改善装置１は水中や海水中の水質改善したい水域に位置させることができる、籾殻くん炭２が網袋３に収納された籾殻くん炭収納体４と、この籾殻くん炭収納体４のほぼ中央部を貫通するように取付けられたエアパイプ５の先端部より吹き出されるエアが、該籾殻くん炭収納体４に当るように供給することができるエア供給装置６とで構成されている。
【００１５】
前記籾殻くん炭収納体４の籾殻くん炭２は、籾殻を８００℃の高温で一次燃焼させ、さらに１０００℃以上で二次燃焼させて形成されたものが使用されるとともに、網体３は籾殻くん炭２が脱落することのないメッシュの網で筒状に形成されたものを用い、網体３に籾殻くん炭２を収納したものを渦巻状となるように縫着固定され、上面が水面の上面あるいは水面近傍に位置する浮き籾殻くん炭収納体４となる。
【００１６】
前記エア供給装置６は前記籾殻くん炭収納体４のほぼ中央部に固定された、先端部が水中に位置するエア噴射ノズル７が設けられたエアパイプ５と、このエアパイプ５に接続されたエアチューブ８を介してエアを供給する送風機９とで構成されている。
【００１７】
上記構成の水質改善装置１は水質を改善する養殖場、ゴルフ場の池等の水質を改善したい水域に籾殻くん炭収納体４を投入し、上部を水面の上部あるいは水面近傍に位置させ、エアパイプ５とエアチューブ８とを送風機９に接続し、送風機９を駆動させると、エアチューブ８、エアパイプ５およびエア供給ノズル７より水中へ噴射され、噴射されたエアは気泡となって水質を改善しながら水中を上昇し、籾殻くん炭収納体４に付着し、水中に生息する微生物、小動物の住処としての最適な環境にでき、有機物や無機物の付着を促すことができる。
すなわち、籾殻くん炭２の水質改善機能と、水中に供給するエアの水質改善機能で、効率よく水質を改善することができる。
【００１８】
なお、本出願人の実験によれば、ゴルフ場池水１００Lの生物酵素要求量（ＢＯＤ）、科学的酵素要求量（ＣＯＤ）ｍｇ／Lの測定結果は、
何も処理しない場合のスタート時はＢＯＤ３５０、ＣＯＤ５５０で、３週間後はＢＯＤ３８０、ＣＯＤ６１０となったが、本考案を用いた場合、スタート時はＢＯＤ３５０、ＣＯＤ５５０で、３週間後はＢＯＤ８０、ＣＯＤ１１５となって水質が改善された状態となった。
また、養殖海水２００Lの全窒素（Ｔ−Ｎ）、全リン（Ｔ−Ｐ）ｍｇ／Lの測定結果は、
何も処理しない場合のスタート時はＴ−Ｎ１３２、Ｔ−Ｐ４６で、５週間後にはＴ−Ｎ１９８、Ｔ−Ｐ４８となったが、本考案を用いた場合、スタート時はＴ−Ｎ１３２、Ｔ−Ｐ４６で、５週間後にはＴ−Ｎ１３２、Ｔ−Ｐ４４となって、水質が改善された状態となった。
[考案を実施するための異なる形態]
【００１９】
次に、図５ないし図１１に示す本考案を実施するための異なる形態につき説明する。なお、これらの本考案を実施するための異なる形態の説明に当って、前記本考案を実施するための最良の第１の形態と同一構成部分には同一符号を付して重複する説明を省略する。
【００２０】
図５ないし図７に示す本考案を実施するための第２の形態において、前記本考案を実施するための最良の第１の形態と主に異なる点は、籾殻くん炭収納体４のほぼ中央部にエアパイプガイド筒１０を固定するとともに、該エアパイプガイド筒１０にスライド移動可能なエアパイプ５を挿入し、エアパイプガイド筒１０の所定位置でエアパイプを締付ボルト１１で固定できるエア供給装置６Ａを用いた点で、このようなエア供給装置６Ａを用いることにより、水質を改善するどんな水域でも、最適な水中位置で気泡を出させて、水質を改善させることができる水質改善装置１Ａにできる。
【００２１】
図８および図９に示す本考案を実施するための第３の形態において、前記本考案を実施するための最良の第１の形態と主に異なる点は、円盤状の籾殻くん炭収納体４Ａを用いた点で、このような籾殻くん炭収納体４Ａを用いて構成した水質改善装置１Ｂにしても、前記本考案を実施するための最良の第１の形態と同様な作用効果が得られる。
【００２２】
図１０および図１１に示す本考案を実施するための第４の形態において、前記本考案を実施するための最良の第１の形態と主に異なる点は、四角形状の籾殻くん炭収納体４Ｂ
を用いた点で、このような籾殻くん炭収納体４Ｂを用いて構成した水質改善装置１Ｃにしても、前記本考案の最良の第１の形態と同様な作用効果が得られる。
【００２３】
なお、エアパイプ５の先端部に取付けられるエア噴射ノズル７は、小さな透孔が形成されたノズルや気泡発生ノズルを用いてもよい。
【産業上の利用可能性】
【００２４】
本考案は水質改善装置を製造する産業で利用される。
【図面の簡単な説明】
【００２５】
【図１】本考案を実施するための最良の第１の形態の平面図。
【図２】本考案を実施するための最良の第１の形態の側面図。
【図３】本考案を実施するための最良の第１の形態の要部拡大断面図。
【図４】本考案を実施するための最良の第１の形態の使用状態の説明図。
【図５】本考案を実施するための第２の形態の平面図。
【図６】本考案を実施するための第２の形態の側面図。
【図７】本考案を実施するための第２の形態の要部拡大断面図。
【図８】本考案を実施するための第３の形態の平面図。
【図９】本考案を実施するための第３の形態の要部拡大断面図。
【図１０】本考案を実施するための第４の形態の平面図。
【図１１】本考案を実施するための第４の形態の要部拡大断面図。
【符号の説明】
【００２６】
１、１Ａ、１Ｂ、１Ｃ：水質改善装置、
２：籾殻くん炭、              ３：網袋、
４、４Ａ、４Ｂ：籾殻くん炭収納体、
５：エアパイプ、              ６、６Ａ：エア供給装置、            
７：エア噴射ノズル、          ８：エアチューブ、
９：送風機、                  １０：エアパイプガイド筒、
１１：締付ボルト。
【図１】
0003143933.tif 000003
【図２】
0003143933.tif 000004
【図３】
0003143933.tif 000005
【図４】
0003143933.tif 000006
【図５】
0003143933.tif 000007
【図６】
0003143933.tif 000008
【図７】
0003143933.tif 000009
【図８】
0003143933.tif 000010
【図９】
0003143933.tif 000011
【図１０】
0003143933.tif 000012
【図１１】
0003143933.tif 000013